(57)【要約】【課題】観察者に強い印象を与えることが可能なスクリーン及びスクリーンシステムを提供する。【解決手段】板ガラス１６Ａ，１６Ｂ及び調光フィルム１３，１４Ａ，１４Ｂ，１５Ａ，１５Ｂを含み、透明度を調節することができ、不透明となった場合に映写幕として機能する調光ガラス１３〜１６Ａ，１６Ｂと、調光ガラス１３〜１６Ａ，１６Ｂの内部に設けられ、電磁波を送受することによって、利用者が所持するＩＣタグ６０に記録されている個別情報を読み出し、近傍に来る利用者を検出するためのアンテナ１１とを有するスクリーン１０と、スクリーン１０に対して光を投射するプロジェクタ２０と、ＩＣタグ６０を検出した場合に、スクリーン１０を透明から不透明な状態に変え、ＩＣタグから読み出した個別情報に対応するコンテンツをプロジェクタ３０からスクリーン１０に投影させるＰＣ５０とを備えるスクリーンシステム１。【選択図】図１
2006235373.tif 000002
【特許請求の範囲】
【請求項１】
光の投射を受けて画像を表示するスクリーンであって、
観察側の最表面にガラス材と、
前記ガラス材の内側に近傍領域内に在る携帯型の被検出媒体を検出するためのセンサとを備えること
を特徴とするスクリーン。
【請求項２】
請求項１に記載のスクリーンにおいて、
観察側及びその反対側の最表面に２枚のガラス材を備え、
前記センサは、前記２枚のガラス材間に設けられていること
を特徴とするスクリーン。
【請求項３】
光の投射を受けて画像を表示するスクリーンであって、
外部からの指示に応じて透明度を調節することが可能な基材と、
前記基材の透明度を調節するために、近傍領域内に在る携帯型の被検出媒体を検出するためのセンサとを備え、
前記基材が不透明となった場合に、光の投射を受けて画像を表示可能であること
を特徴とするスクリーン。
【請求項４】
請求項３に記載のスクリーンにおいて、
前記基材は、板状の透明部材と、前記板状の透明部材に貼付された調光フィルムとを有すること
を特徴とするスクリーン。
【請求項５】
請求項４に記載のスクリーンにおいて、
前記基材は、観察側及びその反対側の最表面に２枚の前記板状透明部材を有し、
前記センサ及び／又は前記調光フィルムは、前記２枚の板状透明部材間に設けられていること
を特徴とするスクリーン。
【請求項６】
請求項４又は請求項５に記載のスクリーンにおいて、
前記板状透明部材はガラス材であること
を特徴とするスクリーン。
【請求項７】
請求項１から請求項６までのいずれか１項に記載のスクリーンにおいて、
前記センサは、電磁波を送受することによって、近傍領域内に在る携帯型情報記録媒体に記録されている情報を読み出すためのアンテナを有すること
を特徴とするスクリーン。
【請求項８】
請求項１から請求項７までのいずれか１項に記載のスクリーンと、
前記スクリーンに対して光を投射する投射手段と、
前記センサによる検出結果に応じて、前記投射手段による前記スクリーンへの光の投射を制御する投射制御手段とを備えること
を特徴とするスクリーンシステム。
【請求項９】
請求項８に記載のスクリーンシステムにおいて、
前記投射制御手段は、前記アンテナを介して前記情報記録媒体から読み出した情報に基づいて、前記投射手段によって投射される光に応じて前記スクリーンに表示される画像の選択、及び／又は、前記投射手段による光の投射のタイミングの調整を行うこと
を特徴とするスクリーンシステム。
【請求項１０】
請求項３から請求項７までのいずれか１項に記載のスクリーンと、
前記センサによる検出結果に応じて、前記基材の透明度の調整を制御する透明度制御手段と
を備えるスクリーンシステム。
【発明の詳細な説明】
【技術分野】
【０００１】
本発明は、光の投射を受けて画像を表示するスクリーン、及び、スクリーンを制御するスクリーンシステムに関する。
【背景技術】
【０００２】
従来から、ＰＣを操作してプロジェクタからスクリーンに拡大投影される映像を制御し、プレゼンテーションを行っている。
例えば、会議室から事務所のＰＣを操作し、その操作によりＰＣに表示される画像を会議室の投影処理部（プロジェクタ）にて拡大投影することでプレゼンテーションソフトやデータファイルの非互換性やメモリ媒体の運搬中における破損等の問題の回避を可能にするプレゼンテーションシステムがある（特許文献１参照。）。
【特許文献１】特開２００２−６４７２５号
【発明の開示】
【発明が解決しようとする課題】
【０００３】
しかし、プロジェクタからスクリーンに映像を投射し、表示を行うだけでは、意外性に欠け、観察者に強い印象を与えることができないという問題があった。同様に、コンビニエンスストアのレジのディスプレイ、街頭、駅構内のポスター、電飾看板、その他の広告看板などの販売促進用の表示においても、意外性に欠け、販促効果をあまり期待できないという問題があった。
【０００４】
本発明の課題は、観察者に強い印象を与えることが可能なスクリーン及びスクリーンシステムを提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。すなわち、請求項１の発明は、光の投射を受けて画像を表示するスクリーンであって、観察側の最表面にガラス材（１６Ａ）と、前記ガラス材の内側に近傍領域内に在る携帯型の被検出媒体（６０）を検出するためのセンサ（１１）とを備えることを特徴とするスクリーン（１０）である。
【０００６】
請求項２の発明は、請求項１に記載のスクリーンにおいて、観察側及びその反対側の最表面に２枚のガラス材（１６Ａ，１６Ｂ）を備え、前記センサは、前記２枚のガラス材間に設けられていることを特徴とするスクリーン（１０）である。
【０００７】
請求項３の発明は、光の投射を受けて画像を表示するスクリーンであって、外部からの指示に応じて透明度を調節することが可能な基材（１３，１４Ａ，１４Ｂ，１５Ａ，１５Ｂ，１６Ａ，１６Ｂ）と、前記基材の透明度を調節するために、近傍領域内に在る携帯型の被検出媒体（６０）を検出するためのセンサ（１１）とを備え、前記基材が不透明となった場合に、光の投射を受けて画像を表示可能であることを特徴とするスクリーン（１０）である。
【０００８】
請求項４の発明は、請求項３に記載のスクリーンにおいて、前記基材は、板状の透明部材（１６Ａ，１６Ｂ）と、前記板状の透明部材に貼付された調光フィルム（１３，１４Ａ，１４Ｂ，１５Ａ，１５Ｂ）とを有することを特徴とするスクリーン（１０）である。  
【０００９】
請求項５の発明は、請求項４に記載のスクリーンにおいて、前記基材は、観察側及びその反対側の最表面に２枚の前記板状透明部材（１６Ａ，１６Ｂ）を有し、前記センサ及び／又は前記調光フィルムは、前記２枚の板状透明部材間に設けられていることを特徴とするスクリーン（１０）である。
【００１０】
請求項６の発明は、請求項４又は請求項５に記載のスクリーンにおいて、前記板状透明部材はガラス材であることを特徴とするスクリーン（１０）である。
【００１１】
請求項７の発明は、請求項１から請求項６までのいずれか１項に記載のスクリーンにおいて、前記センサは、電磁波を送受することによって、近傍領域内に在る携帯型情報記録媒体（６０）に記録されている情報を読み出すためのアンテナ（１１）を有することを特徴とするスクリーン（１０）である。
【００１２】
請求項８の発明は、請求項１から請求項７までのいずれか１項に記載のスクリーンと、
前記スクリーンに対して光を投射する投射手段（２０）と、前記センサによる検出結果に応じて、前記投射手段による前記スクリーンへの光の投射を制御する投射制御手段（５０）とを備えることを特徴とするスクリーンシステム（１）である。
【００１３】
請求項９の発明は、請求項８に記載のスクリーンシステムにおいて、前記投射制御手段は、前記アンテナを介して前記情報記録媒体から読み出した情報に基づいて、前記投射手段によって投射される光に応じて前記スクリーンに表示される画像の選択、及び／又は、前記投射手段による光の投射のタイミングの調整を行うことを特徴とするスクリーンシステム（１）である。
【００１４】
請求項１０の発明は、請求項３から請求項７までのいずれか１項に記載のスクリーン（１０）と、前記センサによる検出結果に応じて、前記基材の透明度の調整を制御する透明度制御手段（４０，５０）とを備えるスクリーンシステム（１）である。
【発明の効果】
【００１５】
本発明によるスクリーン及びスクリーンシステムによれば、以下の効果を得ることが可能となる。
（１）観察側の最表面をガラス材とすることによって、意匠性、質感、見栄えを向上することが可能となる。また、センサを備えることによって、利用者が近傍領域内に被検出媒体を持ち込んだ場合に画像を表示するなど、観察者に強い印象を与えることが可能となる。更に、ガラス材の内側にセンサを設けることによって、表面にセンサの凹凸が出ず、違和感を観察者に感じさせず、見栄えを向上することが可能となる。更にまた、ガラス材に被検出媒体が近づいた場合にその基材の外観を変えることができ、観察者に一層強い印象を与えることが可能となる。
また、情報記録媒体から読み出した情報に応じて、基材に表示する画像の選択、基材に光りを投射するタイミングを制御することによって、様々なパターンで画像を基材に表示することが可能となる。
（２）特に、２枚のガラス材間にセンサを設けることによって、一層意匠性、質感、見栄えを向上することが可能となる。また、いずれの最表面からも被検出媒体を検出することが可能となる。
（３）センサの検出結果に応じて、基材の透明度を調節することによって、利用者の接近に応じて基材の透明度を調節することができ、観察者に強い印象を与えることが可能となる。
（４）特に、センサの検出結果に応じて、基材の透明度及び基材への光の投射のタイミングの調整を制御することによって、所定の利用者の接近に応じて、基材を透明から不透明に変化させ、画像を基材に表示することができ、観察者に一層強い印象を与えることが可能となる。
（５）センサ及び／又は調光フィルムを２枚の透明部材間に設けることによって、比較的容易にセンサを基材内部に設けることが可能となる。また、表面にアンテナの凹凸が出ず、違和感を観察者に感じさせず、見栄えを向上することが可能となる。更にまた、透明な基材に被検出媒体が近づいた場合にその基材の外観を変えることができ、観察者に一層強い印象を与えることが可能となる。また、いずれの最表面からも被検出媒体を検出することが可能となる。
（６）情報記録媒体から読み出した情報に応じて、スクリーンに表示する画像の選択、スクリーンに光りを投射するタイミングを制御することによって、様々なパターンで画像を基材に表示することが可能となる。
【発明を実施するための最良の形態】
【００１６】
本発明は、観察者に強い印象を与えるという目的を、板状の透明部材及びこの板状の透明部材に貼付された調光フィルムを有し、外部からの指示に応じて透明度を調節することができ、不透明となった場合に映写幕として機能する基材と、電磁波を送受することによって、近傍に来る者が所持する情報記録媒体に記録されている情報を読み出し、近傍に来る者を検出するためのアンテナを有するセンサと、センサによる検出結果に応じて基材の透明度の調整を制御する透明度制御部と、基材に対して光を投射する投射部と、センサによる検出結果に応じて投射部による基材への光の投射を制御する投射制御部とを備えるスクリーンシステムによって実現する。
【実施例】
【００１７】
以下、図面などを参照して、本発明の実施例をあげて、さらに詳しく説明する。
図１は、本発明によるスクリーン及びスクリーンシステムの実施例における構成を示すブロック図である。
図１に示すように、スクリーンシステム１は、スクリーン１０、プロジェクタ２０、リーダ３０、出力リレ４０、ＰＣ５０、ＩＣタグ６０などを備え、スクリーン１０の近傍にＩＣタグ６０を携帯する利用者が来た場合に、プロジェクタ２０からスクリーン１０へ画像を投射し、表示するシステムである。
スクリーン１０は、街角、イベント会場、駅構内、コンビニエンスストア、ショッピングセンタ、ホテルなどの人目に付きやすい場所に設置されている。スクリーン１０は、平行光線の透過度などの透明度を調節することができる板状の調光ガラスを基材とし、アンテナ１１、電源端子１２などを備えている。スクリーン１０は、電源端子１２に外部から電力が供給されている電源ＯＮの場合には、調光ガラスが透明となり、透明な窓のような状態となる。一方、電源ＯＦＦの場合には、スクリーン１０は、調光ガラスが不透明な白濁状態となり、投影によって画像を表示するスクリーンとして機能する。
【００１８】
図２は、スクリーン１０の構成を説明するための概略断面図である。
図２に示すように、スクリーン１０は、調光ガラスの内部にアンテナ１１が設けられた構造を有している。スクリーン１０は、液晶などの調光材料からなる液晶層１３の両面を透明導電層１４Ａ，１４Ｂで挟み、透明導電層１４Ａ，１４Ｂの外側を透明なポリマーシート１５Ａ，１５Ｂで挟みこんだ調光フィルム１３，１４Ａ，１４Ｂ，１５Ａ，１５Ｂ（例えば、日本板硝子（株）製ＵＭＵフィルム（「ＵＭＵ」は登録商標））と、アンテナ１１とを２枚のガラス板１６Ａ，１６Ｂ間に挟み込んで接着一体化して構成される。スクリーン１０の観察側（観察者がいる側）の最表面は、板ガラス１６Ａであり、反対側の最表面は、板ガラス１６Ｂとなっている。スクリーンとして機能する調光ガラスとしては、日本板硝子（株）製のウムスマートスクリーン（登録商標）などがある。
【００１９】
透明導電層１４Ａ，１４Ｂは、透明な導電性の層であって、電源端子１２に接続され、液晶層１３内の液晶に対して電圧をかける電極の役割を果たしている。電源端子１２に電圧がかけられた場合には、液晶層１３の液晶分子が通電によって並行に並び、平行光線透過率が高くなり、液晶層１３は透明となる。一方、電源端子１２に電圧がかけられていない場合には、液晶分子が不揃いとなり、平行光線透過率が低くなり、液晶層１３は不透明となる。
【００２０】
アンテナ１１は、リーダ３０に接続され、リーダ３０からの信号を電磁波に変えて送出し、ＩＣタグ６０から反射された電磁波を受けとる電磁誘導方式による無線通信を行う通信インターフェイスであって、表示面と対向するように板ガラス１６Ａ及びポリマーシート１５Ａ間に挟み込まれて設けられている。アンテナ１１は、電磁波を送受することによって、スクリーン１０の近傍のアンテナ１１の通信範囲内に来たＩＣタグ６０を携帯する利用者を検出するためのセンサである。アンテナ１１は、コイル型でも、ダイポール型でもよく、その形状は限定されないが、スクリーン１０の表示の邪魔とならないよう、ダイポール型など、表示面に対して占有面積の小さいものが望ましい。
【００２１】
図１に示すように、プロジェクタ２０は、ＰＣ５０に接続され、ＰＣ５０の制御に応じて光をスクリーン１０に投射し、画像をスクリーン１０に対して拡大投影する投影機である。
リーダ３０は、ＰＣ５０及びＩＣタグ６０間の通信を媒介する通信インターフェイスであって、アンテナ１１を介してＩＣタグ６０と電磁誘導方式の通信を行う。リーダ３０は、アンテナ１１によって電磁波の送受を行うことによって、無線信号を送出し、ＩＣタグ６０からの応答信号を受信する。
出力リレ４０は、電源７０及びスクリーン１０の電源端子１２に接続され、ＰＣ５０の制御に応じて、電源７０からスクリーン１０への電力供給のＯＮ／ＯＦＦを切り替えるスイッチである。
【００２２】
ＰＣ５０は、演算、制御、メモリ管理などを行うＣＰＵ、メモリ、ハードディスクなどの記憶装置、ディスプレイなどの表示装置、プロジェクタ２０、リーダ３０、出力リレ４０などへ制御信号を送信するための通信インターフェイスなど（図示しない。）を備えるコンピュータであって、プロジェクタ２０、リーダ３０、出力リレ４０などの各装置を制御する。ＰＣ５０は、アンテナ１１及びリーダ３０を介して応答を要求する信号を繰り返し送出し、その応答の有無、応答の内容に基づいて、アンテナ１１の近傍の通信範囲（動作磁界範囲）内にあるＩＣタグ６０を検出する。また、リーダ３０を介してＩＣタグ６０に所定の命令を送信することによって、通信範囲内にあるＩＣタグ６０に記憶されている情報を読み出す。
【００２３】
また、ＰＣ５０は、画像データなどの複数種類のコンテンツのデータ、各種コンテンツと、ＩＣタグ６０に記憶されている個別情報とを紐付ける管理ファイルなどを記憶している。ＰＣ５０は、ＩＣタグ６０から読み出した個別情報に対応するコンテンツのデータをプロジェクタ２０へ送信し、コンテンツをスクリーン１０に表示するなど、プロジェクタ２０を制御する。更に、ＰＣ５０は、出力リレ４０を制御し、スクリーン１０への電力供給のＯＮ／ＯＦＦを制御する。ＰＣ５０の動作の詳細については、図３を用いて後述する。
【００２４】
ＩＣタグ６０は、メモリやＣＰＵを有するＩＣチップと、ＩＣチップに接続され、電磁誘導方式による通信を行うアンテナなどを備える携帯型の情報記録媒体であって（図示しない。）、一般にＲＦＩＤ（Ｒａｄｉｏ  Ｆｒｅｑｕｅｎｃｙ  Ｉｄｅｎｔｉｆｉｃａｔｉｏｎ；無線による個体認識）タグとよばれているものであり、会員などの所定の者に配布され、携帯される。また、ＩＣタグ６０は、このＩＣタグ６０を携帯する利用者又はＩＣタグの属性を識別するための属性識別情報、ＩＣタグ又は利用者を識別するための識別情報などの個別情報（ＵＩＤ）を記憶し、リーダ３０からの要請に応じてこの個別情報を送信する。なお、ＩＣタグ６０の形態は、限定されず、例えば、携帯電話のストラップに設けられているもの、腕輪型のもの、他のものに貼付できるシール型のものなど、多種多様のものがある。
【００２５】
図３は、本発明によるスクリーン及びスクリーンシステムの実施例における動作を示すフローチャートである。以下、ＰＣ５０による処理を中心に説明する。
ステップ１００（以下、「ステップ」を「Ｓ」という。）において、スクリーン１０は、電源がＯＮに切り替えられており、利用者が透明なスクリーン１０を通してその背景を見ることができる状態にある。また、リーダ３０は、アンテナ１１から応答要求信号を繰り返し放出している。
【００２６】
Ｓ１１０において、ＩＣタグ６０を携帯する利用者がスクリーン１０へ近づき、ＩＣタグ６０がアンテナ１１の通信範囲内に入ると、ＰＣ５０は、ＩＣタグ６０からの応答に基づいて、ＩＣタグ６０を検出する。ＰＣ５０は、ＩＣタグ６０に記憶されている個別情報を読み出し（Ｓ１２０）、対応するコンテンツを選択し、そのデータを読み出す（Ｓ１３０）。ＰＣ５０は、出力リレ４０によってスクリーン１０の電源をＯＦＦに切り替え、スクリーン１０を不透明な状態とする（Ｓ１４０）。ＰＣ５０は、読み出したコンテンツのデータをディスプレイへ出力して表示するとともに、コンテンツのデータをプロジェクタ２０へ送信してコンテンツをスクリーン１０に表示する（Ｓ１５０）。
ＰＣ５０は、コンテンツ再生中に同一のＩＣタグ６０を検出し続けることができなくなるなど、終了指示があった場合（Ｓ１６０）には、ＰＣ５０のディスプレイ及びスクリーン１０におけるコンテンツの表示を終了し（Ｓ１８０）、スクリーン１０の電源をＯＮに切り替え（Ｓ１９０）、処理を終了する（Ｓ２００）。また、コンテンツが終了した場合（Ｓ１７０）には、同様に、スクリーン１０の電源をＯＮに切り替え（Ｓ１９０）、処理を終了する（Ｓ２００）。ＰＣ５０は、待機状態（Ｓ１００）となり、再びＩＣタグ６０を検出した場合には、同様の処理を繰り返す（Ｓ１１０からＳ１８０まで）。
【００２７】
このように、本実施例によれば、スクリーンシステム１は、スクリーン１０の観察側の最表面を板ガラス１６Ａとするため、意匠性、質感、見栄えを向上することが可能となった。また、スクリーンシステム１は、ＩＣタグ６０を携帯する利用者がスクリーン１０に近づいた場合に、透明なスクリーン１０を不透明に切り替え、コンテンツを表示するため、観察者に強い印象を与えることが可能となった。例えば、街角、イベント会場、駅構内、コンビニエンスストア、ショッピングセンタ、ホテルなどに設置し、広告情報などを表示した場合には、観察者に強い印象を与え、販促効果を向上することが可能となった。更に、プレゼンなどにおいて、発表者のＩＣタグ６０の動きやＩＣタグ６０の種類に応じてスクリーン１０の外観、画像の表示を変えることができ、観察者に強い印象を与えることが可能となった。
【００２８】
更にまた、ＩＣタグ６０から読み出した個別情報に応じて、対応するコンテンツをスクリーン１０に表示することによって、利用者の属性などに応じた種々の情報を利用者に提供することが可能となった。
また、アンテナ１１を調光フィルム１３，１４Ａ，１４Ｂ，１５Ａ，１５Ｂ及び板ガラス１６Ａ間に設けることによって、調光フィルム１３，１４Ａ，１４Ｂ，１５Ａ，１５Ｂを２枚のガラス板１６Ａ，１６Ｂに挟み込んで接着する調光ガラスの製造工程においてアンテナ１１を狭着することによってスクリーン１０を製造することができ、比較的容易にアンテナ１１を設置し、スクリーン１０を製造することが可能となった。更に、表面にアンテナ１１の凹凸が出ず、違和感を観察者に感じさず、見栄えを向上することが可能となった。更にまた、透明な板ガラス１６ＡにＩＣタグ６０が近づいた場合に、その板ガラス１６Ａの外観を変えることができ、観察者に一層強い印象を与えることが可能となった。
【００２９】
（変形例）
以上説明した実施例に限定されることなく、種々の変形や変更が可能であって、それらも本発明の均等の範囲内である。例えば、スクリーン１０内部に設けられているアンテナ１１は、スクリーンの表面（観察側）又は裏面（プロジェクタ側）に設けられていてもよく、スクリーン１０の近傍にいる、ＩＣタグ６０を携帯している者を検出できれば、設置場所は限定されない。
また、リーダ３０及びアンテナ１１と、ＩＣタグ６０とは、電磁誘導方式による通信を行うが、静電誘導方式による通信であってもよく、無線でＩＣタグ６０に記憶されている情報を読み出すことができればよい。
【００３０】
更に、スクリーンシステム１は、ＩＣタグ６０から読み取った情報に応じたコンテンツをスクリーン１０に表示するが、このシステムに用いることができる所定のＩＣタグ６０の属性を識別するための識別情報をＩＣタグ６０が記憶し、この識別情報を読み取ることによって、所定のＩＣタグ６０が通信範囲内に持ち込まれたことを検出し、任意のコンテンツをスクリーン１０に表示してもよい。
【００３１】
従って、ＩＣタグ６０は、特定周波数の電磁波を受信した場合に共振する非接触識別タグであってもよい。また、ＩＣタグ６０は、電源を備えているアクティブタイプでも、外部から駆動電力を得るパッシブタイプであってもよい。尚、パッシブタイプのＩＣタグはアクティブタイプよりかなり小さく軽い上に、価格も安く実質的に寿命の制限がないため、利用者に対して送付し、使用させるのに都合がよい。
【００３２】
スクリーンシステム１は、スクリーン１０、プロジェクタ２０、ＰＣ５０など、それぞれ所定の機能を有する複数の装置を備えているが、これらの装置の機能を備える一体型の表示装置であってもよく、スクリーンシステム１が所定の機能を備えていれば、システムに含まれる装置の形態は限定されない。
【００３３】
スクリーンシステム１は、コンテンツの音声を出力し、利用者に聞かせるスピーカを備えていてもよい。ＩＣタグ６０から読み取った情報に応じた音声情報を利用者に提供することができ、より強い印象を与えることが可能となる。
【００３４】
スクリーンシステム１は、プロジェクタ２０側と、観察側が異なる背面投射式（リア式）で画像をスクリーン１０に表示しているが、観察側から投射する正面投射式（フロント式）で画像をスクリーン１０に表示してもよく、スクリーン１０への光の投射方向などの投射方法は限定されない。
また、スクリーンシステム１は、スクリーン１０の両面を観察側とし、双方の面からＩＣタグ６０を検出してもよい。
【００３５】
スクリーン１０は、調光フィルム１３，１４Ａ，１４Ｂ，１５Ａ，１５Ｂを２枚のガラス板１６Ａ，１６Ｂで挟み込んだ調光ガラスを基材としているが、調光フィルム１３，１４Ａ，１４Ｂ，１５Ａ，１５Ｂをプラスチックなどの他の透明な部材に貼付したものを基材としてもよい。
【００３６】
スクリーンシステム１は、ＩＣタグ６０を検出できなくなったことを終了指示として入力し（図３のＳ１６０）、コンテンツの表示を終了するが（Ｓ１８０）、終了指示情報を記憶している他のＩＣタグ６０を検出したことを終了指示として入力してもよく、終了指示の入力方法は、ＩＣタグ６０の検出パターンに応じて任意に設定することが可能である。
【００３７】
スクリーンシステム１は、スクリーン１０の近傍にＩＣタグ６０を携帯する利用者が来た場合に、スクリーン１０にコンテンツを表示するが、通常、コンテンツを表示しておき、利用者が来た場合にスクリーン１０を透明に切り替えてもよい。また、スクリーンシステム１は、スクリーン１０の状態を透明、不透明の二つのパターンの透明度の状態だけでなく、半透明など、より多くの透明度の状態を切り替えてもよい。更に、スクリーンシステム１は、コンテンツを表示するタイミングをＩＣタグ６０から読み出した情報に応じて変えてもよい。ＩＣタグ６０の接近や、ＩＣタグ６０から読み出した情報に応じて、スクリーン１０の透明度をどう調節するか、また、どのようなコンテンツをどのようなタイミングで表示するかは任意に設定することが可能である。
【図面の簡単な説明】
【００３８】
【図１】スクリーン及びスクリーンシステムの構成を示すブロック図である。
【図２】スクリーン１０の構成を説明するための概略断面図である。
【図３】スクリーン及びスクリーンシステムの動作を示すフローチャートである。
【符号の説明】
【００３９】
１  スクリーンシステム
１０  スクリーン
１１  アンテナ
１２  電源端子
２０  プロジェクタ
３０  リーダ
４０  出力リレ
５０  ＰＣ
６０  ＩＣタグ
７０  電源
【図１】
2006235373.tif 000003
【図２】
2006235373.tif 000004
【図３】
2006235373.tif 000005